(57)【要約】【課題】電線等を容易に配線することが可能となり、床スラブの施工性を向上させることができる床スラブ用コンクリート板を提供することを目的とする。【解決手段】建物の上下階間に水平方向に隣接して複数配置されるとともに上方から現場打ちコンクリート５が打設され、当該現場打ちコンクリート５と構造的に結合することで床スラブ１を構築する床スラブ用コンクリート板１０が、下階における天井面を構成する底面１１ａと、現場打ちコンクリート５が打設される上面１１ｂとを有する本体部１１と、本体部１１の上部周縁部に一体形成されるとともに、当該本体部１１の側面よりも側方に突出してフランジ状に形成されるフランジ部１２と、を備える。【選択図】図８
2016118047.tif 000002
【特許請求の範囲】
【請求項１】
建物の上下階間に水平方向に隣接して複数配置されるとともに上方から現場打ちコンクリートが打設され、当該現場打ちコンクリートと構造的に結合することで床スラブを構築する床スラブ用コンクリート板において、
下階における天井面を構成する底面と、前記現場打ちコンクリートが打設される上面とを有する本体部と、
前記本体部の上部周縁部に一体形成されるとともに、当該本体部の側面よりも側方に突出してフランジ状に形成されるフランジ部と、を備えることを特徴とする床スラブ用コンクリート板。
【請求項２】
請求項１に記載の床スラブ用コンクリート板において、
前記本体部には、当該本体部を短手方向に貫通する貫通孔が形成されていることを特徴とする床スラブ用コンクリート板。
【請求項３】
請求項２に記載の床スラブ用コンクリート板において、
前記本体部には、当該本体部の長手方向に長尺な第一鉄筋と、
前記第一鉄筋と交差して接合されるとともに、前記第一鉄筋との接合箇所を谷部としたジグザグ状に形成されることによって、前記本体部の前記上面から上方に突出する突出部を有する第二鉄筋と、が埋設されており、
前記第一鉄筋および前記第二鉄筋は、前記貫通孔に干渉しない位置に配置されていることを特徴とする床スラブ用コンクリート板。
【請求項４】
請求項３に記載の床スラブ用コンクリート板において、
前記第二鉄筋の前記突出部における山部には格子状に形成された第三鉄筋が接合されることを特徴とする床スラブ用コンクリート板。
【請求項５】
請求項１〜４のいずれか一項に記載の床スラブ用コンクリート板が、建物の上下階間に水平方向に隣接して複数配置されるとともに上方から現場打ちコンクリートが打設されてなる床スラブであって、
隣接する床スラブ用コンクリート板間には、前記本体部の側面と前記フランジ部の下面とで囲まれるとともに下方に開放された凹型空間が形成されることを特徴とする床スラブ。
【請求項６】
請求項５に記載の床スラブにおいて、
前記凹型空間には電線が配線されるとともに当該電線に接続される照明器具が設置されていることを特徴とする床スラブ用コンクリート板。
【発明の詳細な説明】
【技術分野】
【０００１】
本発明は、床スラブ用コンクリート板および床スラブに関する。
【背景技術】
【０００２】
梁と梁とに掛け渡されたプレキャストコンクリート製の床板の上に鉄筋を配筋し、当該コンクリート板上にさらにコンクリートを打設することによって形成された床スラブが知られている。このように上から現場打ちコンクリートが打設されるコンクリート板は、建物の上下階間に設置され、現場打ちコンクリートを打設する際の底部型枠として機能するとともに下階における天井部分としても機能することになる。
【先行技術文献】
【特許文献】
【０００３】
【特許文献１】特開２０１３−０４４２１５号公報
【発明の概要】
【発明が解決しようとする課題】
【０００４】
ところで、床スラブの天井側に電線等の配線を施す際は、例えば、床スラブの下方に天井材を配置して二重天井とすることによって配線のための空間を形成したり、コンクリート板の下面よりも下方に突出するとともに梁から離れて設けられた垂壁構成体に配線のための貫通孔を形成したりすることで床スラブの天井側に電線等の配線を施している。
しかしながら、電線等を配線するために、このように二重天井を設けたり、垂壁構成体を別途形成したりしなければならず、床スラブの施工時に手間であった。
【０００５】
本発明の課題は、電線等を容易に配線することが可能となり、床スラブの施工性を向上させることができる床スラブ用コンクリート板および床スラブを提供することを目的とする。
【課題を解決するための手段】
【０００６】
請求項１に記載の発明は、例えば図１〜図８に示すように、建物の上下階間に水平方向に隣接して複数配置されるとともに上方から現場打ちコンクリート５が打設され、当該現場打ちコンクリート５と構造的に結合することで床スラブ１を構築する床スラブ用コンクリート板１０において、
下階における天井面を構成する底面１１ａと、前記現場打ちコンクリート５が打設される上面１１ｂとを有する本体部１１と、
前記本体部１１の上部周縁部に一体形成されるとともに、当該本体部１１の側面よりも側方に突出してフランジ状に形成されるフランジ部１２と、を備えることを特徴とする。
【０００７】
請求項１に記載の発明によれば、本体部１１の上部周縁部に、フランジ部１２が、当該本体部１１の側面よりも側方に突出して一体形成されるので、このようなフランジ部１２を備えた床スラブ用コンクリート板１０を水平方向に隣接して複数配置した際に、隣接する床スラブ用コンクリート板１０，１０間には、本体部１１の側面とフランジ部１２の下面とで囲まれるとともに下方に開放された凹型空間（例えば凹型空間２０）が形成されることになる。このような凹型空間を利用すれば電線（例えば電線２１）等を容易に配線することが可能となり、例えば二重天井を形成したり、垂壁構成体を形成したりする必要が無くなるので、床スラブ１の施工性を向上できる。
【０００８】
請求項２に記載の発明は、例えば図１，図３〜図８に示すように、請求項１に記載の床スラブ用コンクリート板１０において、
前記本体部１１には、当該本体部１１を短手方向に貫通する貫通孔１３が形成されていることを特徴とする。
【０００９】
請求項２に記載の発明によれば、本体部１１には、当該本体部１１を短手方向に貫通する貫通孔１３が形成されているので、電線（例えば電線２１）等を貫通孔１３に通すだけで本体部１１の短手方向にも容易に配線することができる。さらに、隣接する床スラブ用コンクリート板１０，１０間に形成される凹型空間２０と貫通孔１３とが交差して配列されることになるので、これらを組み合わせて使えば電線等の配線を行う上で極めて利便性が高い。
【００１０】
請求項３に記載の発明は、例えば図３〜図８に示すように、請求項２に記載の床スラブ用コンクリート板１０において、
前記本体部１１には、当該本体部１１の長手方向に長尺な第一鉄筋１４と、
前記第一鉄筋１４と交差して接合されるとともに、前記第一鉄筋１４との接合箇所を谷部１５ｃとしたジグザグ状に形成されることによって、前記本体部１１の前記上面１１ｂから上方に突出する突出部１５ａを有する第二鉄筋１５と、が埋設されており、
前記第一鉄筋１４および前記第二鉄筋１５は、前記貫通孔１３に干渉しない位置に配置されていることを特徴とする。
【００１１】
請求項３に記載の発明によれば、第一鉄筋１４および第二鉄筋１５は、貫通孔１３に干渉しない位置に配置されているので、第一鉄筋１４および第二鉄筋１５が、貫通孔１３を利用した電線（例えば電線２１）等の配線に影響を与えない。そのため、電線等を第一鉄筋１４および第二鉄筋１５に関わりなく、確実に配線することができる。
また、第二鉄筋１５は、第一鉄筋１４との接合箇所を谷部１５ｃとしたジグザグ状に形成されることによって、本体部１１の上面１１ｂから上方に突出する突出部１５ａを有するので、当該第二鉄筋１５を介して床スラブ用コンクリート板１０と現場打ちコンクリート５との結合状態を強固にすることができる。
【００１２】
請求項４に記載の発明は、例えば図２，図５〜図８に示すように、請求項３に記載の床スラブ用コンクリート板１０において、
前記第二鉄筋１５の前記突出部１５ａにおける山部１５ｂには格子状に形成された第三鉄筋１６が接合されることを特徴とする。
【００１３】
請求項４に記載の発明によれば、第二鉄筋１５の突出部１５ａにおける山部１５ｂには格子状に形成された第三鉄筋１６が接合されるので、当該第三鉄筋１６を介して床スラブ用コンクリート板１０と現場打ちコンクリート５との結合状態を強固にすることができる。
【００１４】
請求項５に記載の発明は、例えば図１〜図８に示すように、請求項１〜４のいずれか一項に記載の床スラブ用コンクリート板１０が、建物の上下階間に水平方向に隣接して複数配置されるとともに上方から現場打ちコンクリート５が打設されてなる床スラブ１であって、
隣接する床スラブ用コンクリート板１０，１０間には、前記本体部１１の側面と前記フランジ部１２の下面とで囲まれるとともに下方に開放された凹型空間２０が形成されることを特徴とする。
【００１５】
請求項５に記載の発明によれば、隣接する床スラブ用コンクリート板１０，１０間には、本体部１１の側面とフランジ部１２の下面とで囲まれるとともに下方に開放された凹型空間２０が形成されるので、凹型空間２０を利用すれば電線（例えば電線２１）等を容易に配線することが可能となり、例えば二重天井を形成したり、垂壁構成体を形成したりする必要が無くなるので、床スラブ１の施工性を向上できる。
【００１６】
請求項６に記載の発明は、例えば図６に示すように、請求項５に記載の床スラブ１において、
前記凹型空間２０には電線２１が配線されるとともに当該電線２１に接続される照明器具２２が設置されていることを特徴とする。
【００１７】
請求項６に記載の発明によれば、凹型空間２０には電線２１が配線されるので、凹型空間２０を電線２１の収納場所として利用することができる。また、凹型空間２０には電線２１に接続される照明器具２２が設置されているので、例えば照明器具２２を本体部１１の下面に設置する場合に比して、下方への突出量を抑えることができる。これによって、床スラブ１下方に位置する建物の下階における天井周りをすっきりとさせることができ、見映えを向上させたり、上方からの圧迫感を軽減させたりすることができる。
【発明の効果】
【００１８】
本発明によれば、電線等を容易に配線することが可能となり、床スラブの施工性を向上させることができる。
【図面の簡単な説明】
【００１９】
【図１】床スラブが設けられた建物の一部を示す平面図である。
【図２】建物の一部における床スラブを示す断面図である。
【図３】床スラブ用コンクリート板を短手方向に切断した場合の断面図である。
【図４】床スラブ用コンクリート板を長手方向に切断した場合の部分拡大断面図である。
【図５】床スラブ用コンクリート板の第二鉄筋と第三鉄筋との接合前の状態を説明する図である。
【図６】現場打ちコンクリートを打設した状態を説明する図である。
【図７】貫通孔に電線を通す作業を説明する図である。
【図８】電線等の配線が終わった後の床スラブの状態を説明する図である。
【発明を実施するための形態】
【００２０】
以下、図面を参照して本発明の実施の形態について説明する。
本実施の形態の床スラブ用コンクリート板１０は、図１〜図８に示すように、建物の上下階間に水平方向に隣接して複数配置されるとともに上方から現場打ちコンクリート５が打設され、当該現場打ちコンクリート５と構造的に結合することで床スラブ１を構築するものである。床スラブ１の上方が上階とされ、下方が下階とされている。
床スラブ１は、建物の躯体を構成する複数の梁２に架け渡されて設置されている。また、複数の梁２は、下階側の柱３によって支持されるとともに、上階側の柱３を支持している。なお、これら複数の梁２と上下の柱３は構造的に結合されて一体化されているものとする。
【００２１】
そして、床スラブ用コンクリート板１０は、プレキャストコンクリート製であり、図３〜図８に示すように、本体部１１と、フランジ部１２と、を備える。
本体部１１は、下階における天井面を構成する底面１１ａと、現場打ちコンクリート５が打設される上面１１ｂとを有する。
フランジ部１２は、本体部１１の上部周縁部に一体形成されるとともに、当該本体部１１の側面よりも側方に突出してフランジ状に形成されている。
また、このフランジ部１２と本体部１１の上面１１ｂとを含む床スラブ用コンクリート板１０の面積は、本体部１１の底面１１ａの面積よりも広く設定されている。さらに、フランジ部１２の、本体部１１の側面から側方への突出量は、床スラブ用コンクリート板１０の全周において等しいものとする。
このような床スラブ用コンクリート板１０は、側面視または断面視において凸型（またはハット型）に形成されている。
【００２２】
本体部１１には、当該本体部１１を短手方向に貫通する貫通孔１３が形成されている。この貫通孔１３は、本体部１１を貫通するようにして設けられた管部材１３ａの内部中空部を指している。また、この管部材１３ａの両端部は開放されている。
なお、貫通孔１３（管部材１３ａ）は、図１に示すように、床スラブ用コンクリート板１０の長手方向に間隔を空けて複数配置されている（図１では四本）。
【００２３】
また、本体部１１には、当該本体部１１の長手方向に長尺な第一鉄筋１４と、この第一鉄筋１４と交差して接合される第二鉄筋１５と、が埋設されている。
第一鉄筋１４はストレートな鉄筋であり、本体部１１の短手方向に間隔を空けて複数埋設されている（本実施の形態では四本）。
第二鉄筋１５は、山部１５ｂ（∧型部分）と谷部１５ｃ（∨型部分）とを含んだジグザグ状に形成された鉄筋であり、谷部１５ｃが第一鉄筋１４との接合箇所とされている。また、第二鉄筋１５は、谷部１５ｃのみが本体部１１に埋設され、本体部１１の上面１１ｂよりも上方に突出する部分は突出部１５ａとされている。当該突出部１５ａは、現場打ちコンクリート５に埋設されることとなる。
また、第二鉄筋１５は、両端部が山部１５ｂの位置で切断された状態となっており、隣接する床スラブ用コンクリート板１０の第二鉄筋１５と接合される。第二鉄筋１５の一方の端部は、他方の端部および山部１５ｂの頂点よりも高さが低く設定されており、複数の床スラブ用コンクリート板１０を水平方向に隣接して並べた際に、一方の端部の上に他方の端部が重なるように設定されている。また、他方の端部はフランジ部１２よりも側方に若干突出した状態となっている。これら一方の端部と他方の端部は接合されることで山部１５ｂを形成している。
そして、このような第一鉄筋１４および第二鉄筋１５は、図４等に示すように、貫通孔１３（管部材１３ａ）に干渉しない位置に配置されている。すなわち、貫通孔１３は、第一鉄筋１４および第二鉄筋１５に阻害されずに本体部１１を短手方向に通貫した状態となっている。
【００２４】
なお、第二鉄筋１５の突出部１５ａにおける山部１５ｂには、図５，図６等に示すように、格子状に形成された第三鉄筋１６が接合される。当該第三鉄筋１６も、現場打ちコンクリート５に埋設されることとなる。
【００２５】
以上のような構成の床スラブ用コンクリート板１０を複数用いることによって床スラブ１を形成することができる。
すなわち、床スラブ１は、図１〜図８に示すように、床スラブ用コンクリート板１０が、建物の上下階間に水平方向に隣接して複数配置されるとともに上方から現場打ちコンクリート５が打設されてなる。
なお、図２の例では、柱３，３のある位置に設けられた梁２，２の中間位置に中間梁（梁２）が設けられ、三つの梁２，２，２間に二つの床スラブ用コンクリート板１０が架け渡されて、その上に床スラブ１を一括して形成した状態となっている。すなわち、床スラブ用コンクリート板１０二つ分の長さの床スラブ１を一括で形成している。ただし、これに限られるものではなく、図１に示すように、床スラブ用コンクリート板１０一つ分の長さを、床スラブ１の長さの最小単位とすればよい。二つ分の長さの床スラブ１を形成する場合と、床スラブ用コンクリート板１０一つ分の長さの床スラブ１を形成する場合との違いは、中間梁２によって二つの床スラブ用コンクリート板１０を連続して配置するか否かであって、床スラブ１の施工性や機能の差は特にないものとする。
つまり、本実施の形態で説明する床スラブ１の形成について説明は、図１の形態と図２の形態の双方の床スラブ１に適用することができる。
【００２６】
床スラブ１の形成についてより詳細に説明すると、床スラブ用コンクリート板１０が架け渡される複数の梁２は上面から上方に突出する接続用鉄筋２ａを備える。床スラブ用コンクリート板１０は、複数の梁２の上面にフランジ部１２を載せる形で当該複数の梁２に架け渡される。
さらに、複数の梁２のうち、床スラブ１の外周縁に当たる位置には側型枠４が設置される。すなわち、床スラブ１を形成するに当たっては、底面側の型枠として床スラブ用コンクリート板１０が用いられ、側面側の型枠として側型枠４が用いられている。
【００２７】
また、第三鉄筋１６は、床スラブ用コンクリート板１０の第二鉄筋１５の山部１５ｂに接合されるとともに、複数の梁２の接続用鉄筋２ａに対しても接合されている。これによって、床スラブ用コンクリート板１０と梁２とが構造的に接続された状態となる。
このように各鉄筋が繋がった状態となり、周囲が型枠で囲まれた状態となったら、図４に示すように現場打ちコンクリート５が打設され、所定量の現場打ちコンクリート５が打設されたら、図５に示すように表面が均される。
【００２８】
一方、建物の下階側においては、隣接する床スラブ用コンクリート板１０，１０間に、本体部１１の側面とフランジ部１２の下面とで囲まれるとともに下方に開放された凹型空間２０が形成されることになる。
凹型空間２０は、下階における天井面を構成する本体部１１の底面１１ａよりも上方に凹むようにして形成されている。本実施の形態において、当該凹型空間２０には、電線２１が配線されるとともに当該電線２１に接続される照明器具２２が設置されている。
【００２９】
また、本体部１１には貫通孔１３も形成された状態となっているので、例えば図１に示すように、隣接する床スラブ用コンクリート板１０，１０間に形成される凹型空間２０と貫通孔１３とが交差して配列されることになる（すなわち、格子状に配列される）。貫通孔１３は、本体部１１を貫通して形成されるため、下階側からは見えない状態となっている。
このような貫通孔１３には、図５に示すように電線２１が配線される。すなわち、電線２１は凹型空間２０にも貫通孔１３にも配線することができるので、下階の天井において電線２１を張り巡らせることができる。
なお、本実施の形態においては貫通孔１３に通されるものとして電線２１を挙げたが、これに限られるものではなく、例えば通信線を始めとする各種配線やユニット配線、流体用のパイプ・チューブ等を通してもよいものとする。
【００３０】
本実施の形態の照明器具２２としては、凹型空間２０に沿って長尺なものが使用されているが、長尺なものでなくてもよいし、蛍光灯やＬＥＤ照明等その種類についても特に限定されるものではない。
そして、照明器具２２と電線２１とが凹型空間２０で接続され、さらに凹型空間２０の下方開放部分はカバー２３によって覆われている。
電線２１や照明器具２２等のメンテナンス時には、カバー２３を外して容易に作業を行うことができるので、現場での配線工事における作業軽減を図ることができる。
【００３１】
以上のような形態の床スラブ１は、複数の梁２間に複数の床スラブ用コンクリート板１０を水平方向に隣接するように架け渡し、当該床スラブ用コンクリート板１０と側型枠４とで囲まれた型枠内に現場打ちコンクリート５を打設することによって形成することができる。
複数の床スラブ用コンクリート板１０間に形成される凹型空間２０には、電線２１や照明器具２２を適宜設置する。また、貫通孔１３にも電線２１等を適宜配線する。
【００３２】
本実施の形態によれば、本体部１１の上部周縁部に、フランジ部１２が、当該本体部１１の側面よりも側方に突出して一体形成されるので、このようなフランジ部１２を備えた床スラブ用コンクリート板１０を水平方向に隣接して複数配置した際に、隣接する床スラブ用コンクリート板１０，１０間には、本体部１１の側面とフランジ部１２の下面とで囲まれるとともに下方に開放された凹型空間２０が形成されることになる。このような凹型空間を利用すれば電線２１等を容易に配線することが可能となり、例えば二重天井を形成したり、垂壁構成体を形成したりする必要が無くなるので、床スラブ１の施工性を向上できる。
【００３３】
また、本体部１１には、当該本体部１１を短手方向に貫通する貫通孔１３が形成されているので、電線２１等を貫通孔１３に通すだけで本体部１１の短手方向にも容易に配線することができる。さらに、隣接する床スラブ用コンクリート板１０，１０間に形成される凹型空間２０と貫通孔１３とが交差して配列されることになるので、これらを組み合わせて使えば電線等の配線を行う上で極めて利便性が高い。
【００３４】
また、第一鉄筋１４および第二鉄筋１５は、貫通孔１３に干渉しない位置に配置されているので、第一鉄筋１４および第二鉄筋１５が、貫通孔１３を利用した電線２１等の配線に影響を与えない。そのため、電線等を第一鉄筋１４および第二鉄筋１５に関わりなく、確実に配線することができる。
また、第二鉄筋１５は、第一鉄筋１４との接合箇所を谷部１５ｃとしたジグザグ状に形成されることによって、本体部１１の上面１１ｂから上方に突出する突出部１５ａを有するので、当該第二鉄筋１５を介して床スラブ用コンクリート板１０と現場打ちコンクリート５との結合状態を強固にすることができる。
【００３５】
また、第二鉄筋１５の突出部１５ａにおける山部１５ｂには格子状に形成された第三鉄筋１６が接合されるので、当該第三鉄筋１６を介して床スラブ用コンクリート板１０と現場打ちコンクリート５との結合状態を強固にすることができる。
【００３６】
また、隣接する床スラブ用コンクリート板１０，１０間には、本体部１１の側面とフランジ部１２の下面とで囲まれるとともに下方に開放された凹型空間２０が形成されるので、凹型空間２０を利用すれば電線２１等を容易に配線することが可能となり、例えば二重天井を形成したり、垂壁構成体を形成したりする必要が無くなるので、床スラブ１の施工性を向上できる。
【００３７】
また、凹型空間２０には電線２１が配線されるので、凹型空間２０を電線２１の収納場所として利用することができる。また、凹型空間２０には電線２１に接続される照明器具２２が設置されているので、例えば照明器具２２を本体部１１の下面に設置する場合に比して、下方への突出量を抑えることができる。これによって、床スラブ１下方に位置する建物の下階における天井周りをすっきりとさせることができ、見映えを向上させたり、上方からの圧迫感を軽減させたりすることができる。
【符号の説明】
【００３８】
１  床スラブ
２  梁
５  現場打ちコンクリート
１０  床スラブ用コンクリート板
１１  本体部
１２  フランジ部
１３  貫通孔
１４  第一鉄筋
１５  第二鉄筋
２０  凹型空間
２１  電線
２２  照明器具
【図１】
2016118047.tif 000003
【図２】
2016118047.tif 000004
【図３】
2016118047.tif 000005
【図４】
2016118047.tif 000006
【図５】
2016118047.tif 000007
【図６】
2016118047.tif 000008
【図７】
2016118047.tif 000009
【図８】
2016118047.tif 000010